(57)【要約】  電気レセプタクルコネクタに光ファイバを接続するためのプラグコネクタは、内部にキャビティが画定されたハウジングを有する。少なくとも１個のプリント回路基板（ＰＣＢ）がハウジングキャビティ内に配置される。ＰＣＢは、その上面に配置された１個以上の光電子要素、及びレセプタクルコネクタと嵌合するためのＰＣＢの嵌合エッジに隣接して配置された電気接点を有する。電気接点は、１個以上の光電子要素と電気的に接続される。１本以上の光ファイバが、ハウジング開口部からハウジングキャビティに入り、光電子要素と光学的に結合される。上面を有する構造体が、ハウジングキャビティ内でハウジング開口部とＰＣＢとの間に配置される。複数の光ファイバは、構造体の上面の上方で延びると共にＰＣＢの上面の少なくとも一部の上方で延びる。複数の光ファイバは、ＰＣＢの上面から第１の最小距離だけ分離され、プラットフォームの上面から第１の最小距離よりも小さい第２の最小距離だけ分離される。【選択図】  図４
2015502574.tif 000002
【特許請求の範囲】
【請求項１】
電気レセプタクルコネクタに光ファイバを接続するためのプラグコネクタであって、
前記レセプタクルコネクタと嵌合するためにプリント回路基板（ＰＣＢ）の嵌合エッジに隣接して配置された複数の電気接点を有するプリント回路基板（ＰＣＢ）と、
ハウジングキャビティ内に配置されたトランシーバであって、前記ＰＣＢの表面上に配置され、前記複数の電気接点と電気的に接続された１個以上の光電子要素を有する、トランシーバと、
キャビティ、
ハウジング開口部、及び、
前記ハウジングキャビティ内で、前記ハウジング開口部と前記ＰＣＢとの間に配置されたプラットフォームであって、上面を有するプラットフォームを有する、ハウジングと、
前記ハウジング開口部から前記ハウジングキャビティに入り、前記光電子要素と光学的に結合された１本以上の光ファイバであって、前記プラットフォームの前記上面の上方で延びると共に前記ＰＣＢの前記上面の少なくとも一部に沿って延び、前記ＰＣＢの前記上面から第１の最小距離だけ分離され、前記プラットフォームの前記上面から前記第１の最小距離よりも小さい第２の最小距離だけ分離された、１本以上の光ファイバと、
を有する、プラグコネクタ。
【請求項２】
前記１本以上の光ファイバのうちの１本の光ファイバが前記プラットフォーム及び前記ＰＣＢの前記上面に向かって広がる場合、前記１本の光ファイバが前記プラットフォームに最も近い前記ＰＣＢのエッジに接触するよりも前に、前記１本の光ファイバが前記プラットフォームの前記上面と接触する、請求項１に記載のプラグコネクタ。
【請求項３】
前記プラットフォームに最も近い前記ＰＣＢの前記エッジが、前記ＰＣＢの前記嵌合エッジの反対側である、請求項２に記載のプラグコネクタ。
【請求項４】
前記複数の光ファイバ内の前記光ファイバが、前記ハウジングキャビティ内で、前記ハウジング開口部と前記光電子要素との間で浮いている、請求項１に記載のプラグコネクタ。
【請求項５】
前記ハウジングが、前記ハウジングキャビティ内で、前記プラットフォームの前記上面の両側に配置された対向する側壁を更に有し、前記対向する側壁が、前記プラグコネクタの長さに沿って延びるとともに前記プラットフォームの前記上面から遠ざかる方向に沿って互いから離れ、前記光ファイバが、前記対向する側壁の間に画定される空間内に配置される、請求項１に記載のプラグコネクタ。
【請求項６】
電気レセプタクルコネクタに光ファイバを接続するためのプラグコネクタであって、
内部にキャビティが画定された、ハウジング開口部を有するハウジングと、
前記ハウジングキャビティ内に配置されたプリント回路基板（ＰＣＢ）と、
前記ＰＣＢ上に配置された１個以上の光電子要素と、
前記ハウジング開口部から前記ハウジングキャビティに入り、前記光電子要素と光学的に結合されたケーブルであって、
クラッドにより囲まれたコアをそれぞれが有する１本以上の光ファイバ、及び、
前記１本以上の光ファイバを囲む外側ジャケットを有する、ケーブルと、
を有し、
前記外側ジャケットが前記ハウジング開口部において前記ハウジングに取り付けられることにより、前記外側ジャケットが前記ケーブルの長手方向軸に沿って動くことが防止されるが、前記少なくとも１本の光ファイバが前記ケーブルの長手方向軸に沿って動くことは防止されない、プラグコネクタ。
【請求項７】
前記ケーブルが前記ケーブルの長手方向軸に沿って最大規格のケーブル荷重で引っぱられる場合、前記１本以上の光ファイバのそれぞれの光ファイバにかかる引張り応力が実質的にゼロである、請求項６に記載のプラグコネクタ。
【請求項８】
前記少なくとも１本の光ファイバが、前記ハウジングキャビティ内で、前記ハウジング開口部と前記光電子要素との間で浮いている、請求項６に記載のプラグコネクタ。
【請求項９】
前記外側ジャケットが前記ハウジング開口部において前記ハウジングに取り付けられることにより、前記外側ジャケットが前記ケーブルの長手方向軸に沿って動くことは防止されるが、前記光ファイバが前記ケーブルの長手方向軸に沿って動くことは防止されない、請求項６に記載のプラグコネクタ。
【請求項１０】
レセプタクルコネクタに光ファイバを接続するためのプラグコネクタであって、
対向する上壁及び底壁と、対向する外側側壁とを有するハウジングであって、前記上壁、底壁、及び外側側壁がそれらの間にキャビティを画定する、ハウジングと、
前記ハウジングキャビティ内に配置されるプリント回路基板（ＰＣＢ）であって、
少なくとも１個の光電子要素、及び、
前記レセプタクルコネクタと嵌合するための前記ＰＣＢの嵌合エッジに隣接して配置された第１の複数の電気接点であって、前記光電子要素と電気的に接続された、第１の複数の電気接点を有する、プリント回路基板（ＰＣＢ）と、
前記ハウジングキャビティ内に配置され、前記ハウジングの長さに沿ってハウジング開口部から前記光電子要素にまで延びる複数の光ファイバであって、前記光電子要素と光学的に結合された、複数の光ファイバと、
前記ハウジングキャビティ内において、前記対向する外側側壁の間でかつ前記底壁上に配置される第１の対向する内側側壁であって、前記底壁から前記上壁に向かう方向に互いから離れる、第１の対向する内側側壁と、
前記ハウジングキャビティ内において、前記対向する外側側壁の間でかつ前記上壁上に配置される第２の対向する内側側壁であって、前記上壁から前記底壁に向かう方向に互いから離れる、第２の対向する内側側壁と、を有し、
前記第１の対向する内側側壁が前記第２の対向する内側側壁と重なり合い、前記第１及び第２の対向する内側側壁がそれらの間に案内空間を画定し、前記複数の光ファイバが前記案内空間内に配置される、プラグコネクタ。
【発明の詳細な説明】
【背景技術】
【０００１】
従来の電線によるネットワークと比較して、光ファイバ通信ネットワークは、大幅に多くの情報を大幅に高速で伝送することが可能である。したがって、光ファイバは通信ネットワークにおいて益々使用されつつある。多くの電子装置では、デジタル信号は、電気信号として発生させられ、導線又は回路基板のトレース上を伝送される。高速信号を長距離伝送するには、電気信号の光信号への変換がしばしば行われ、光ファイバ又は導波管上で低損失の伝送が行われる。電気信号から光信号への変換、及び最終的な光信号から電気信号への変換は、光源及び検出器、並びに電子制御部及び論理回路を含むトランシーバによって行われる。多くの光学伝送システムの実施形態では、トランシーバは、電気的コネクタインターフェースと光学的コネクタインターフェースを有する独立型モジュールである。
【発明の概要】
【課題を解決するための手段】
【０００２】
いくつかの実施形態は、電気レセプタクルコネクタに光ファイバを接続するためのプラグコネクタに関する。プラグコネクタは、レセプタクルコネクタと嵌合するためにプリント回路基板（ＰＣＢ）の嵌合エッジに隣接して配置された複数の電気接点を有するプリント回路基板（ＰＣＢ）を有する。ハウジングキャビティ内にはトランシーバが配置され、このトランシーバは、ＰＣＢの表面上に配置され、前記複数の電気接点と電気的に接続された１個以上の光電子要素を有する。プラグコネクタは、ハウジングキャビティ、ハウジング開口部、及び、ハウジングキャビティ内で、ハウジング開口部とＰＣＢとの間に配置され、上面を有するプラットフォームを有する。１本以上の光ファイバが、ハウジング開口部からハウジングキャビティに入り、光電子要素と光学的に結合される。複数の光ファイバは、プラットフォームの前記上面に沿って延びると共にＰＣＢの上面の少なくとも一部に沿って延びる。複数の光ファイバは、ＰＣＢの上面から第１の最小距離だけ分離され、プラットフォームの上面から第１の最小距離よりも小さい第２の最小距離だけ分離される。
【０００３】
１本以上の光ファイバのうちの１本の光ファイバがプラットフォーム及びＰＣＢの上面に向かって広がる場合、１本の光ファイバがプラットフォームに最も近いＰＣＢのエッジに接触するよりも前に、１本の光ファイバがプラットフォームの上面と接触する。例えば、プラットフォームに最も近いＰＣＢのエッジは、ＰＣＢの嵌合エッジの反対側のエッジであってよい。複数の光ファイバ内の光ファイバは、ハウジングキャビティ内で、ハウジング開口部と光電子要素との間で浮いている。
【０００４】
いくつかの実現形態では、ハウジングは、ハウジングキャビティ内で、プラットフォームの上面の両側に配置された対向する側壁を更に有する。対向する側壁は、プラグコネクタの長さに沿って延びるとともにプラットフォームの前記上面から遠ざかる方向に沿って互いから離れる。この構成では、光ファイバは、対向する側壁の間に画定される空間内に配置される。
【０００５】
いくつかの態様によれば、光電子要素は、光信号を電気信号に、電気信号を光信号に変換するか、又はこの両方を行うように適合することができる。例えば、複数の光ファイバ内の光ファイバは、光電子要素の性質及び性能要求条件に応じて、マルチ横モード光ファイバ又はシングル横モード光ファイバであってよい。
【０００６】
いくつかの実施形態は、プラグコネクタを含む光電子システムに関する。プラグは、内部にキャビティが画定されたハウジングを有する。プリント回路基板（ＰＣＢ）がハウジングキャビティ内に配置される。ＰＣＢは、ＰＣＢの上面に配置された光電子要素、及び、レセプタクルコネクタと嵌合するためのＰＣＢの嵌合エッジに隣接して配置された第１の複数の電気接点を有する。第１の複数の電気接点は、光電子要素と電気的に接続される。複数の光ファイバがハウジング開口部からハウジングキャビティに入り、これらの光ファイバは光電子要素と光学的に結合される。プラットフォームが、ハウジングキャビティ内で、ハウジング開口部とＰＣＢとの間に配置され、このプラットフォームは上面を有している。複数の光ファイバは、プラットフォームの上面に沿って延びると共にＰＣＢの上面の少なくとも一部に沿って延び、複数の光ファイバは、ＰＣＢの上面から第１の最小距離だけ分離され、プラットフォームの上面から第１の最小距離よりも小さい第２の最小距離だけ分離されている。複数の光ファイバ内の光ファイバは、マルチ横モード光ファイバである。光電子システムは更に、複数の光ファイバ内の光ファイバの少なくとも一部のものに光を放射するマルチ横モードレーザを有する。例えばレーザは、垂直共振器面発光レーザを含み得る。
【０００７】
いくつかの実施形態は、電気レセプタクルコネクタに光ファイバケーブルを接続するためのプラグコネクタを含む。プラグは、内部にキャビティが画定されたハウジングを有する。プリント回路基板（ＰＣＢ）がハウジングキャビティ内に配置され、光電子要素を有する。光ファイバケーブルがハウジング開口部からハウジングキャビティに入り、光電子要素と光学的に結合される。ケーブルは、クラッドにより囲まれたコアを有する少なくとも１本の光ファイバと、少なくとも１本の光ファイバを囲む外側ジャケットとを有する。ケーブルは、少なくとも１本のファイバとケーブルジャケットとの間に小さい力が加えられた場合に、少なくとも１本のファイバがケーブルジャケットに対して長手方向に動くことができるように構成されている（いわゆる「ルースチューブ」ケーブル設計の１つの例である）。ケーブルはハウジング開口部においてハウジングに取り付けられることにより、外側ジャケットがケーブルの長手方向軸に沿って動くことは防止されるが、少なくとも１本の光ファイバがケーブルの長手方向軸に沿って動くことは防止されない。光電子要素は、ＰＣＢの上面に配置することができる。
【０００８】
例えば、ケーブルがケーブルの長手方向に沿って最大規格のケーブル荷重で引っぱられる場合、少なくとも１本の光ファイバにかかる引張り応力は実質的にゼロである。少なくとも１本の光ファイバは、ハウジングキャビティ内で、ハウジング開口部と光電子要素との間で浮いている。
【０００９】
いくつかの構成では、ケーブルは、クラッドにより囲まれたコアをそれぞれが有する複数の光ファイバと、複数の光ファイバを囲む外側ジャケットと、を有する。ケーブルはハウジング開口部においてハウジングに取り付けられることにより、外側ジャケットがケーブルの長手方向軸に沿って動くことは防止されるが、複数の光ファイバ内の光ファイバがケーブルの長手方向軸に沿って動くことは防止されない。例えば、ケーブルがケーブルの長手方向に沿って最大規格のケーブル荷重で引っぱられる場合、複数の光ファイバ内の光ファイバにかかる引張り応力は実質的にゼロである。
【００１０】
いくつかの実施形態は、電気レセプタクルコネクタに光ファイバケーブルを接続するためのプラグコネクタに関する。プラグコネクタは、ハウジング、及びハウジングキャビティ内に配置されるプリント回路基板を有する。ハウジングは、対向する上壁及び底壁と、対向する外側側壁とを有し、上壁、底壁、及び外側側壁はそれらの間にキャビティを画定する。プリント回路基板（ＰＣＢ）は、光電子要素、及び電気レセプタクルコネクタと嵌合するためのＰＣＢの嵌合エッジに隣接して配置された第１の複数の電気接点であって、光電子要素と電気的に接続された、第１の複数の電気接点を有する。プラグコネクタは更に、ハウジングキャビティ内に配置され、ハウジングの長さに沿ってハウジング開口部から光電子要素にまで延びる複数の光ファイバであって、光電子要素と光学的に結合された、複数の光ファイバを有する。第１の対向する内側側壁が、ハウジングキャビティ内において、対向する外側側壁の間でかつ底壁上に配置されており、この第１の対向する内側側壁は、底壁から上壁に向かう方向に互いから離れる。第２の対向する内側側壁が、ハウジングキャビティ内において、対向する外側側壁の間でかつ上壁上に配置されており、この第２の対向する内側側壁は、上壁から底壁に向かう方向に互いから離れる。第１の対向する内側側壁は第２の対向する内側側壁と重なり合い、第１及び第２の対向する内側側壁はそれらの間に案内空間を画定する。複数の光ファイバは、この案内空間内に配置される。
【００１１】
光電子要素は、ＰＣＢの上面に配置することができる。いくつかの態様によれば、複数の光ファイバ内の光ファイバは、ハウジングキャビティ内で、ハウジングの開口部と光電子要素との間で浮いている。複数の光ファイバ内のファイバがハウジングキャビティ内で広がる場合、第１及び第２の対向する側壁が、広がる光ファイバをハウジングの上壁に向かって協働して案内する。場合によっては、第１の対向する内側側壁は、ハウジングの底壁の内側に対してせりあがった第１の表面において終端する。第１の表面は、複数の光ファイバ内の光ファイバの下方で延びると共に光ファイバと平行に延びる平面部分を有し得る。
【００１２】
第１の対向する内側側壁は、ハウジングの長さに沿ってハウジング開口部とＰＣＢとの間に延び得る。第２の対向する内側側壁は、ハウジングの長さに沿ってハウジング開口部と光電子要素との間に延び得る。
【００１３】
いくつかの構成では、第２の対向する内側側壁は、ハウジングの上壁の内側に配置された第２の表面において終端し、この第２の表面は、複数の光ファイバに沿って、湾曲した湾曲部分を有する。第２の表面の湾曲部分の曲率半径は、複数の光ファイバ内の光ファイバの最小の屈曲の曲率半径よりも大きくてよい。
【００１４】
上記の本発明の概要は、それぞれの開示される実施形態又はすべての実施の態様を説明することを目的としたものではない。図面及び以下の詳細な説明により、異なる例示的な実施形態を例示する。
【図面の簡単な説明】
【００１５】
【図１Ａ】光ファイバケーブルの平面図を示す。
【図１Ｂ】光ファイバケーブルの断面図を示す。
【図２Ａ】いくつかの実施形態に基づいて、プリント回路基板（ＰＣＢ）上に実装された光電子要素２４０と結合された光ケーブルを有する光学サブアセンブリの平面図である。
【図２Ｂ】いくつかの実施形態に基づいて、プリント回路基板（ＰＣＢ）上に実装された光電子要素２４０と結合された光ケーブルを有する光学サブアセンブリの断面図である。
【図３】光ファイバコネクタの一部を示す。この場合、コネクタは、本明細書に述べられる異なる実施形態に基づいて、相補的な電気レセプタクルコネクタと嵌合するように構成された電気プラグコネクタである。
【図４】光ファイバコネクタの一部を示す。この場合、コネクタは、本明細書に述べられる異なる実施形態に基づいて、相補的な電気レセプタクルコネクタと嵌合するように構成された電気プラグコネクタである。
【図５】光ファイバコネクタの一部を示す。この場合、コネクタは、本明細書に述べられる異なる実施形態に基づいて、相補的な電気レセプタクルコネクタと嵌合するように構成された電気プラグコネクタである。
【図６】本明細書に述べられる実施形態に基づく、光電子要素の電気信号から光学信号への変換動作のいくつかの態様を示す。
【図７】いくつかの実施形態に基づく、プラグコネクタハウジングの上側部分を示す。
【図８】いくつかの実施形態に基づく、下側ハウジング部分、上側ハウジング部分、及び光ファイバケーブルを有するプラグコネクタの図を示す。
【図９】いくつかの実施形態に基づく、上側及び下側ハウジング部分を有するコネクタハウジングの嵌合端の端面図を示す。
【図１０】異なる実施形態において述べられる、ハウジングの長さに沿ってハウジング開口部と光電子要素との間に延びる第２の対向する内側側壁を示す。
【図１１】異なる実施形態に基づく、ケーブルに取り付けられ、外側ジャケットの長手方向の運動は拘束するが個々の光ファイバの長手方向の運動は拘束しない張力緩和ブッシングを有する光ファイバケーブルを示す図である。
【発明を実施するための形態】
【００１６】
両端の電気プラグコネクタにトランシーバが組み込まれた光ファイバケーブルを、本明細書では、アクティブ光ケーブルとして述べる。両端にプラグコネクタを有するアクティブ光ケーブル（ＡＯＣ）は、従来のコネクタ化された電気ケーブルに似た外観を有しており、電気ケーブルの互換品となり得るが光ファイバの性能を与えるものである。トランシーバをＡＯＣに組み込むため、電気プラグコネクタは、内部にキャビティが画定されたハウジングを有している。光ファイバケーブルは、大量の情報を高速で伝送するように設計されている。それぞれの光ファイバケーブルは、光信号の導波管として機能する１本以上の光ファイバを含み得る。光ファイバケーブルを介して情報を伝送するためには、送信側の端部において電気信号を光信号に変換し、受信側の端部において光信号を再び電気信号に変換する。電気信号から光信号へ、及び光信号から電気信号への変換は、この変換を行うように構成された光電子要素を有するトランシーバによって処理される。いくつかの構成では、トランシーバは、光コネクタ内に収容された１つ以上のプリント回路基板上に実装された１つ以上の光電子要素を有する。
【００１７】
図１Ａ及び１Ｂは、光ファイバケーブル１００の平面図及び断面図をそれぞれ与える。この例では、光ファイバケーブル１００は８本の光ファイバ１１０を含んでいる。それぞれの光ファイバ１１０は、クラッド１１２及びバッファコーティング１１５によって包囲されたコア１１１を有している。光ファイバ１１０は外側ジャケット１２０内に配置され、場合によっては、ファイバ１１０は、ジャケット１２０内において長手方向軸に沿って動かすことができる。いくつかの構成では、１本以上のファイバ１１０は、外側ジャケット１２０内において緩くてよく、これは光ファイバ１１０が外側ジャケット１２０内で長手方向かつ横方向に動くことができることを意味する。緩いケーブルの構成では、ファイバは、図１Ａ及び１Ｂの理想化された図のアラインメントよりもランダムなアライメントを有し得る。
【００１８】
図２Ａ及び２Ｂは、それぞれ、光ケーブル１００及びコネクタ２００の一部の平面図及び断面図である。光ケーブルは、コネクタ２００内のトランシーバ２４０（光エンジンとしても示される）と結合される。トランシーバ２４０は、光線を案内するための光結合要素２４１ａ、光放射及び／又は光検出装置などの光電子要素２４１ｂ、並びに、特定用途向け集積回路（ＡＳＩＣ）２４１ｃなどの１個以上の電子要素などの１個以上の要素２４１を有し得る。トランシーバ２４０の要素２４１は、プリント回路基板（ＰＣＢ）２３０上に実装されている。コネクタ２００は、内部にＰＣＢが実装されるハウジング２９０を有している。光信号は、光ファイバケーブル１００の光ファイバ１１０を通ってコネクタ２００内のトランシーバ２４０に伝送される。トランシーバ２４０は、光信号を電気信号に変換するか、かつ／又はその逆を行う。電気信号は、ＰＣＢ上の導電性トレース２６０を通って、ＰＣＢの嵌合エッジ３３８に沿って配列された導電性エッジコネクタパッド２５０に伝送される。エッジコネクタパッド２５０は、エッジコネクタパッド２５０を受容するように構成されたレセプタクルコネクタのソケットにＰＣＢ基板２３０のエッジコネクタパッド２５０を挿入することによって、更なる電気回路に接続することができる。
【００１９】
個々の光ファイバ１１０は比較的脆弱であり、特に歪んだり、かつ／又は鋭いエッジ又は粗い表面と接触したりする場合に破断し得る。個々の光ファイバ１１０は、ファイバ保護コーティング１１５によって比較的保護されているが、光ファイバ１１０は、例えば光電子要素２４０と結合される領域において、コネクタハウジング２９０内で露出している。
【００２０】
光ファイバ１１０の長手方向及び／又は横方向の運動のような光ファイバケーブル１００の運動によって光ファイバ１１０が曲がり、ファイバがＰＣＢ  ２３０の表面又はＰＣＢエッジ２３５などの粗い、又は鋭い形成部と接触することになる。ＰＣＢ  ２３０及び／又はＰＣＢエッジ２３５による、ファイバの保護コーティング１１５の摩耗によって、ガラスコア１１１が露出して、光ファイバケーブルの信頼度が低下する怖れがある。本明細書に述べられる実施形態には、光ファイバの運動を制御する、光ファイバコネクタハウジング内に配置された光ファイバコネクタの構成及び／又は機構が関係する。このような運動制御機構は、光ファイバに作用する引張応力の量を低減し、かつ／又は光ファイバの運動を制御することによって、ファイバの破断に寄与し得る鋭い、又は粗い形成部との接触を防止する。例えば、本明細書に述べられる運動制御機構は、最大量までの運動は規制しつつ、ハウジングキャビティ内におけるファイバの長手方向及び横方向の運動の一方又は両方を可能とする。
【００２１】
図３〜５は、光ファイバコネクタの一部を示したものである。この場合、コネクタは、相補的なレセプタクルコネクタと嵌合するように構成されたプラグコネクタである。図３及び４は、プラグコネクタハウジングの下側部分３７０の異なる等角図を示している。図５Ａ及び５Ｂは、ハウジングの下側部分３７０の断面図を示している。図８に最も分かりやすく示されるように、プラグコネクタハウジングは、プラグコネクタハウジングの上側部分７７０と組み立てることが可能な下側部分３７０を有している。本明細書において「下」及び「上」なる用語は、ハウジングに対して配置されたハウジングの各部分及び異なる要素を説明するための便宜的な用語として使用する。しかしながら、これらの用語は、コネクタハウジング又は要素のいかなる特定の向きを指定するためのものではない点は認識されるであろう。例えば、いくつかの向きにおいて「下」として指定されるハウジング部分は、実際には「上」として指定されたハウジング部分の上、又は左側若しくは右側などであり得る。図４及び５に示される下側ハウジング３７０の図は、ハウジング内に配置された光ファイバ１１０を示しているのに対して、図３に示される下側ハウジング３７０の図は、光ファイバ１１０を含んでいない。
【００２２】
図３〜５に示されるように、トランシーバ３４０は、ＰＣＢ  ３３０上に実装された光学、光電子、及び電子要素などの要素３４１を有している。ＰＣＢは、ハウジング３７０のキャビティ３７１内に配置されている。図３及び５に示される第１の複数の電気接点３６５は、ＰＣＢ  ３３０の嵌合エッジ３３８に隣接して配置されている。電気接点３６５は、ＰＣＢ  ３３０上に配置されたトレースによってトランシーバ３４０と電気的に結合されている。電気接点３６５は、レセプタクルコネクタのソケット電気接点と嵌合するように構成されている。
【００２３】
図３に最も分かりやすく示されるように、ハウジング３７０の開口部３７２は、光ファイバ１１０が入ることができるように構成されている。光ファイバ１１０がハウジング３７０内にある場合、光ファイバ１１０はＰＣＢ  ３３０上に配置された１個以上のトランシーバ要素３４１と光学的に結合することができる。いくつかの構成では、ハウジングキャビティ３７１内で、ハウジング開口部３７２とＰＣＢ  ３３０との間に構造体３７５が配置される。光学キャビティ３７１内に存在する場合、光ファイバ１１０は、構造体３７５の上面３７６に沿って延びると共にＰＣＢ  ３３０の少なくとも一部の上面３３６に沿って延びる。光ファイバ１１０は、ハウジングキャビティ３７１内で、ハウジング開口部３７２とトランシーバ３４０との間で浮いている。
【００２４】
いくつかの状況では、光ファイバ１１０はハウジングキャビティ３７１内で垂れ下がるか又は広がり得る。構造体３７５は、キャビティ３７１内における光ファイバ１１０の運動を制限する少なくとも１つの表面３７６を有している。構造体３７５がなければ、垂れ下がり／広がりによって、光ファイバ１１０は例えばＰＣＢエッジ３３７において、ＰＣＢ  ３３０と接触する可能性がある。構造体３７５は、下記に図５〜６に関連して述べるように異なる形態を取り得るものであり、光ファイバ１１０とＰＣＢ  ３３０との偶然の接触を低減する、光ファイバ１１０とＰＣＢ  ３３０との間の所定の空間的関係を維持するように構成される。例えば、構造体３７５は、ハウジング開口部とＰＣＢとの間の領域においてＰＣＢ  ３３０に向かう光ファイバ１１０の運動を制限するように構成することができる。光ファイバ１１０は、ＰＣＢ  ３３０の上面３３６から第１の最小距離だけ分離され、構造体３７５の上面３７６から第１の最小距離よりも小さい第２の最小距離だけ分離されている。
【００２５】
構造体は、任意の都合のよい形状を取ることができる。例えば、図５Ａに見られるようないくつかの実施形態では、構造体はプラットフォーム３８５として構成される。図５Ａにおいて、ファイバ１１０は、ほぼ平坦な構成として配置されており、コネクタ内に円弧を実質的に有していない。この直線的な構成では、光ファイバ１１０は、ＰＣＢ  ３３０の上面３３６から第１の最小距離ｄ０１だけ分離され、プラットフォーム３８５の上面３８６から第２の最小距離ｄ０２だけ分離されており、ｄ０２はｄ０１よりも小さくなっている。プラットフォーム面３８６は、丸みがつけられるか又は面取りされたエッジを有してもよい。図５Ａにやはり示されるように、光ファイバ１１０は、ハウジング３７０の底面に対して比較的真っ直ぐ又は平行となるようにキャビティ３７１内に配置することができる。図５Ａに示される構成では、光ファイバ１１０がプラットフォーム３８５の上面３８６及びＰＣＢ  ３３０の上面３３６に向かって広がる又は動く際、光ファイバ１１０は、ＰＣＢ  ３３０のエッジ３３７又は表面３３６と接触するよりも前にプラットフォーム３８５の上面３８６と接触する。例えば、プラットフォーム３８５は、長さ約１６ｍｍ、幅３．２５ｍｍ、及び高さ約３ｍｍとすることができる。異なる実施形態において、ｄ０１は約０．７５０ｍｍ±０．１００ｍｍとすることができ、ｄ０２は約０．５００±０．１００ｍｍとすることができる。場合により、いくつかの実現形態では、ＰＣＢ  ３３０のエッジ３３７は丸みがつけられるか又は面取りされてもよく、かつ／又はエッジ３３７を、光ファイバ１１０の摩耗を防ぐためにバンパー３０２又は封入材で覆うこともできる。
【００２６】
図５Ｂに示されるようないくつかの実施形態では、構造体は、傾斜面３９６及び／又は丸みを帯びた前エッジ３９６ａを有するプラットフォーム又は隆起部３９５として構成することができる。多くの場合、図５Ｂ〜５Ｅに示されるように、光ファイバ１１０は、開口部３７２とトランシーバ３４０との間の間隔において、下側ハウジング３７０の下側壁３７９から遠ざかって、上方に湾曲してキャビティ３７１内に配置される。光ファイバがアーチ状となっている場合、光ファイバはＰＣＢの上面から第１の最小距離ｄ１だけ分離され、運動制御機構の上面から第２の最小距離だけ分離される。場合によっては、ｄ２はｄ１よりも小さい。ハウジング内における光ファイバの、開口部３７２とトランシーバ３４０との間の距離は約２８ｍｍとすることができ、光ファイバの曲率は直線状の形態から半径１５ｍｍの範囲にわたる。場合によっては、図５Ｃに示されるように、プラットフォーム３９７は、キャビティ３７１内における光ファイバ１１０の望ましい曲線と同様の曲線を有するように形成された上面３９８を有することができる。ファイバ１１０は、表面３９８と接触してもしなくともよい。図５Ｄに示されるように、構造体は、下側ハウジング部分３７０の側壁によって支持されたバー３９４として構成することもできる。
【００２７】
更なる他の実現形態では、図５Ｅに示されるように、プラットフォームを使用しないか、又は、光ファイバ１１０が取り付けられるトランシーバ３４０の部分を、ＰＣＢ  ３３０のエッジ３３７の近くに配置することと組み合わせて使用することができる。例えば、トランシーバ３４０のこの部分を、ＰＣＢエッジから約１５ｍｍの範囲内に配置することができる。トランシーバ３４０をエッジの近くに配置することにより、ＰＣＢ  ３３０による光ファイバの摩耗の可能性が制限される。
【００２８】
いくつかの実施形態では、光ファイバ１１０は、トランシーバ３４０のすぐ前方に配置された機構３０３に接着することができる。図５Ｆは、回路基板３３０上に配置された機構３０３を示しているが、機構３０３はハウジング３７０の一部として形成することもできる。例えば、機構３０３は下側ハウジング部分３７０の下側壁３７９によって支持されてもよく、又は側壁により支持されてもよい。接着は、ファイバ１１０上、及び／又はファイバ１１０と機構３０３との間に接着剤３０４を置くことによって実現することができる。
【００２９】
場合によっては、図３及び４に見られるように、構造体３７５は、１つ以上のプラットフォーム側壁３７７を更に有してもよい。例えば、コネクタハウジング３７０は、ハウジングキャビティ３７１内で、プラットフォーム面３７６の両側に配置された対向する側壁３７７を有することができる。プラットフォーム側壁３７７は、プラグコネクタのハウジング３７０の長さに沿って延び、場合によっては、プラットフォーム面３７６から遠ざかる方向に沿って互いから離れる。コネクタハウジング内に存在する場合、光ファイバ１１０は、図４に示されるように側壁３７７の間の空間内に配置される。
【００３０】
本明細書に述べられる光ファイバは、シングルモード又はマルチモード光ファイバであってよい。シングルモード光ファイバは、単一のモードを有する単一の光線のみを伝送するように設計されている。マルチモード光ファイバは、それぞれが光ファイバのコア内部でわずかに異なる反射角を有する複数の光線又はモードを同時に伝送するように設計されている。マルチモード光ファイバは一般的に、シングルモードファイバよりも太いコアを有しており、シングルモードファイバよりも短い範囲で使用されている。光線はファイバの長さと平行に伝播するが、光線の電磁振動が光ファイバの長さに対して垂直である場合には横モードと呼ばれる場合もある。本明細書に述べられる光ファイバは、例えば複数の横モードの光線又は単一の横モードの光線を伝送することができる。
【００３１】
上記に述べたように、トランシーバは、電気信号を光信号に変換し、かつ／又は光信号を電気信号に変換するように構成されている。電気信号の光信号への変換は、発光ダイオード又はレーザなどの発光装置を使用して行うことができる。例えば、複数の横モードを放射するように構成されたレーザを例えば光ファイバと結合させることができる。
【００３２】
図６は、トランシーバ６４０の電気信号から光学信号への変換動作をより詳しく示したものである。図６の光電子トランシーバ６４０は、複数の横モードを発生することが可能な、垂直共振器面発光レーザ（ＶＣＳＥＬ）などのマルチ横モードレーザ、及び／又はＰＩＮダイオードなどの対応する光検出装置を有している。ＶＣＳＥＬは、各層のエッジに沿って、例えば半導体層の平面に平行な方向に光を放射するレーザダイオードと異なり、半導体層の上面に対して垂直にレーザ光を放射する半導体レーザダイオードの一種である。導電性トレース６５０が電気信号を伝送し、この電気信号をレーザによって複数の横モードの光線に変換することができる。マルチ横モードの光線は、上記に述べたようにマルチ横モード光ファイバ６１１によって伝送される。
【００３３】
レーザ及び／又はＰＩＮダイオード６１０は、光ファイバ１１０のファイバ６１１の導波管部分１１１と光学的に結合されている。例えば、レーザ及び／又はＰＩＮダイオード６１０は、図６に示されるように、１個以上のレンズ３０５及び全反射面３０６を有するカップリング機構によって光ファイバ１１０と光学的に結合することができる。また、レーザ及び／又はＰＩＮダイオード６１０は、例えば接着剤による直接的な取り付けなどの直接的取り付けによって、光ファイバ１１０と光学的及び物理的に結合することもできる。
【００３４】
図６に示されるように、レーザ及び／又はＰＩＮダイオード６１０は、ボンドワイヤ６１５によってＡＳＩＣ  ６２０と電気的に結合することができる。ＡＳＩＣ  ６２０からのボンドワイヤは、ＰＣＢ  ６５０のトレースと電気的に結合することができる。導電性トレース６５０が、トランシーバ３４０をエッジコネクタパッド３６５と電気的に接続している（図３を参照）。
【００３５】
上記に述べたように、光ファイバの運動制御を与えるいくつかの実施形態は、コネクタハウジング内部における光ファイバの運動を制御するような形状に形成された、１組以上の対向した側壁を有する。例えば、２組の対向した側壁を用いることで光ファイバの運動を協働して制御することができる。
【００３６】
図３及び４は、下側部分の対向する外側側壁３７８の組及び底壁３７９を有する、本明細書において下側ハウジング部分と呼ばれる、プラグコネクタハウジングの部分３７０を示している。底壁３７９及び下側部分の外側側壁３７８は、下側ハウジングキャビティ３７１を画定している。
【００３７】
図７は、上側部分の対向する側壁７７８及び上壁７７９を有する、本明細書において上側部分と呼ばれる、プラグコネクタハウジングの部分７７０を示している。上側部分の外側側壁７７８及び上壁７７９は、上側ハウジングキャビティ７７１を画定している。図７に示されるように、上側ハウジング７７０は、上側ハウジング７７０の上壁７７９から下向きに延びる第２の対向する内側側壁７７７の組を有している。
【００３８】
下側ハウジング３７０及び上側ハウジング７７０は、互いに嵌合されてプラグコネクタハウジングを形成する２個のハウジング部分である。２個のハウジング部分３７０、７７０が互いに嵌合されると、コネクタハウジングは、上側部分の外側側壁７７８と下側部分の外側側壁３７８とからなる外側側壁を有することになる。上壁７７９及び底壁３７９に沿ったコネクタ側壁７７８、３７８は、下側ハウジングキャビティ３７１及び上側ハウジングキャビティ７７１を含むハウジングキャビティを形成する。図４に示されるように、光電子要素３４０が実装されたＰＣＢ  ３３０を、上側及び下側ハウジングキャビティ３７１、７７１により形成されたハウジングキャビティ内に配置することができる。図３に最も分かりやすく見られるように、ＰＣＢは、ＰＣＢ  ３３０の嵌合エッジ３３８に隣接して配置された第１の複数の電気接点３６５を有している。電気接点３６５は光電子要素３４０と電気的に結合されており、レセプタクルコネクタとの嵌合を促進する。
【００３９】
図４に示されるように光ファイバ１１０がハウジング内に存在している場合、光ファイバ１１０はハウジング開口部３７２から光電子要素３４０にまでハウジングの長さに沿って延び、光電子要素３４０と光学的に結合される。場合によっては、光ファイバ１１０は、例えば接着剤で取り付けることなどにより、光電子要素に直接取り付けられる。
【００４０】
特定の実現形態では、下側ハウジング３７０は、下側ハウジング３７０の底３７９から上向きに延びる第１の対向する内側側壁３７７を有する。図３及び４に示される構造体３７５は、側壁３７７と組み合わせて使用してもしなくともよい。別の言い方をすれば、構造体３７５は側壁３７７なしで使用することができ、又は構造体３７５は側壁３７７とともに使用することもでき、又はいくつかの実施形態では、図３及び４に示されるように、構造体３７５と側壁３７７とを一緒に使用することもできる。
【００４１】
上記に述べたように、第１の対向する内側側壁３７７（図３及び４を参照）は、下側ハウジングキャビティ３７１内において底壁３７９上で外側側壁３７８の間に配置される。第１の対向する内側側壁３７７は、底壁から上壁に向かう方向に互いから離れている。コネクタは、光学キャビティ７７１内において上壁上で対向する外側側壁７７８の間に配置される第２の対向する側壁７７７（図７を参照）を有する。第２の対向する内側側壁７７７は、上壁７７９から底壁３７９に向かう方向に互いから離れている。上側部分及び下側部分３７０、７７０が互いに組み立てられると、第１の対向する内側側壁３７７と第２の対向する内側側壁７７７とがそれらの間に案内空間を形成する。コネクタキャビティ内に光ファイバ１１０が存在する場合、光ファイバは、第１の内側側壁３７７と第２の内側側壁７７７とによって形成されるこの案内空間内に配置される。案内空間は、光ファイバの運動を制御するように構成されている。
【００４２】
いくつかの実施形態では、第１の対向する内側側壁は第２の対向する内側側壁なしで使用され、いくつかの実施形態では、第２の対向する内側側壁は第１の対向する内側側壁なしで使用され、更にいくつかの実施形態では、第１及び第２の対向する内側側壁が一緒に使用される点に留意されたい。いくつかの構成では、第１の対向する内側側壁は第２の対向する内側側壁と重なり合うか、又はその逆である。いくつかの実施形態では、第２の対向する内側側壁は、ハウジングに沿って第２の対向する内側側壁から長手方向に変位する。
【００４３】
図８は、下側ハウジング部分３７０、上側ハウジング部分７７０、及び光ファイバケーブル１００を有する光ファイバコネクタの図を示している。コネクタが組み立てられると、上側ハウジング７７０の外側側壁７７８が下側ハウジング３７０の外側側壁３７８と嵌合してコネクタの外側側壁を形成する。ＰＣＢ  ３３０の嵌合エッジ３３８の電気接点３６５を図８に見ることができる。
【００４４】
図９は、上側７７０及び下側３７０のハウジング部分を含むコネクタハウジングの嵌合端の端面図を示している。コネクタの嵌合端からは、ＰＣＢ  ３３０の嵌合エッジ３３８、及び嵌合エッジ３３８に隣接して配置された電気接点３６５を見ることができる。上側ハウジング部分７７０は、外側側壁７７８及び上壁７７９を有している。下側ハウジング３７０は、下側の外側側壁３７８及び底壁３７９を有している。上側ハウジングの対向する外側側壁７７８と下側部分の外側側壁３７８とは互いに嵌合して、コネクタハウジングの外側側壁を形成している。
【００４５】
下側ハウジング３７０は、ハウジングキャビティ内において、対向する外側側壁３７８の間でかつ底壁３７９上に配置された第１の対向する内側側壁３７７を有している。図に示されるように、例えば図３及び４では、第１の対向する内側側壁３７７は、ハウジングの長さに沿って、ハウジング開口部３７２とＰＣＢ  ３３０との間に延びている。第１の対向する内側側壁３７７は、底壁３７９から上壁７７９に向かう方向に互いから離れている。上側ハウジング７７０は、対向する外側側壁７７８の間でかつ上壁７７９上に配置された第２の対向する内側側壁７７７を有している。図１０に見られるように、第２の対向する内側側壁７７７は、ハウジングの長さに沿って、ハウジング開口部３７２と光電子要素３４０との間に延びている。第２の対向する内側側壁７７７は、上壁７７９から底壁３７９に向かう方向に互いから離れている。第１及び第２の対向する内側側壁３７７、７７７は互いに、それらの間に案内空間３９９を形成する。光ファイバケーブル１００は、図９において、複数の個々の光ファイバ１１０とともに見ることができる。光ファイバ１１０は案内空間３９９内に配置されている。
【００４６】
図１０は、図８のコネクタの長手方向軸に沿った断面図を示している。第１の対向する内側側壁３７７と第２の対向する内側側壁７７７とは、コネクタの長手方向軸に沿って互いからオフセットしている。第１の対向する内側側壁３７７は、第２の対向する内側側壁７７７よりもハウジング開口部３７２に近く、第２の対向する内側側壁７７７は第１の対向する内側側壁３７７よりもＰＣＢ  ３３０の嵌合エッジ３３８及び光電子要素３４０に近くなっている。第１の対向する内側側壁３７７は、ハウジングの長さに沿ってハウジング開口部（図３、３７２を参照）とＰＣＢ  ３３０との間に延びている。第２の対向する内側側壁７７７は、ハウジングの長さに沿ってハウジング開口部３７２と光電子要素３４０との間に延びている。図１０は、ＰＣＢ  ３３０の上面に配置された光電子要素３４０を示している。光ファイバ１１０は、ハウジングキャビティ３９１内で、第１及び第２の対向する内側側壁３７７、７７７により形成された案内空間３９９内で浮いている。
【００４７】
第１及び第２の対向する内側側壁３７７、７７７は、光ファイバ１１０がハウジングキャビティ３９５内で広がるか又は動く際に、第１及び第２の対向する内側側壁３７７、７７７が協働して光ファイバ１１０をハウジングの上壁７７９の方向に案内するように配置されている。
【００４８】
図１０に示されるように、例えば場合によっては、第１の対向する内側側壁３７７は、ハウジングの底壁３７９の内側に対してせりあがった第１の表面３７６において終端し得る。第１の表面３７６は、光ファイバ１１０の下方で延びると共に光ファイバ１１０と平行に延びる平面部分を有している。第２の対向する内側側壁７７７は、ハウジングの上壁７７９の内側に配置された第２の表面７７５において終端し得る。第２の表面７７５は、複数の光ファイバ１１０に沿って湾曲した湾曲部分７７５ａを有してよい。例えば、場合によっては、第２の表面７７５の湾曲部分７７５ａの曲率半径は、光ファイバ１１０の最小規格の曲率半径よりも大きく、例えば約１５ｍｍの曲率半径よりも大きい。
【００４９】
いくつかの実施形態では、運動制御は、光ファイバケーブルの外側ジャケットとともに配置される光ファイバの張力緩和を含む。これらの張力緩和のアプローチを、上記に述べた運動制御構造に代えるか又はそれに加えて使用することができる。図１Ａ及び１Ｂを参照すると、光ファイバケーブル１００は、少なくとも１本、例えば１本のみ又は複数の光ファイバ１１０を光ファイバケーブル１００内に含むことができる。少なくとも１本の光ファイバは、外側ジャケット１２０内でケーブル１００の長手方向軸に沿って動き得る。図４及び１１に最も分かりやすく見られるように、光ファイバケーブル１００は、ケーブルに取り付けられ、外側ジャケット１２０の長手方向の運動は拘束するが、個々の光ファイバの長手方向の運動は拘束しない張力緩和ブッシング４１０を有している。張力緩和ブッシングは、接着剤により、かしめにより、又は他の方法によって、ケーブルの外側ジャケットに取り付けることができる。
【００５０】
張力緩和ブッシング４１０は、ケーブル１００がハウジング開口部３７２からハウジングに入るように、ハウジング内に配置されている。上側及び下側ハウジング部分３７０、７７０が、例えばねじ４１１によって互いに締結される際、ケーブル１００はこのブッシングによってハウジングに対して保持される。ケーブルの外側ジャケット１２０がケーブルの長手方向軸に沿って動くことは防止されるが、ジャケット１２０内に配置される１本以上の光ファイバ１１０のそれぞれは、外側ジャケット１２０内でケーブルの長手方向軸に沿って動くことができる。したがって、例えば９０ニュートンの最大規格のケーブル荷重が長手方向軸に沿ってケーブルに加えられる場合に、ケーブルジャケット１２０内に配置された光ファイバ１１０のそれぞれにかかる引張り応力は実質的にゼロである。引張り応力が実質的にゼロであることは、光ファイバの経路に幾分の、場合によりわずかな量のアーチが残っているという状況をともなっている。このケーブルは、光ファイバ、ひいては光ファイバが接続される光電子要素に大きな張力を作用させることはない。例えば、ケーブル内のそれぞれの光ファイバに２ポンド（８．９Ｎ）未満、又は１ポンド（４．４Ｎ）未満、又は０．５ポンド（２．２Ｎ）未満、又は更には０．２ポンド（０．９Ｎ）未満の張力が加わる場合に発生する引張り応力は、実質的にゼロである。
【００５１】
張力緩和ブッシングは、ケーブルジャケット内に配置された少なくとも１本の光ファイバがケーブルの長手方向軸に沿ってジャケット内で動くことを可能としながら、長手方向軸に沿ってケーブルを拘束するための１つの可能な方法として上記に述べた点は認識されるであろう。例えば外側ジャケットをハウジングに取り付けることなど、上記のブッシング以外の様々な他の構造を使用することもできる。いくつかの構成では、光ファイバは、ケーブル１００の長さに沿ったどこかの位置、例えばケーブル１００の両端に配置された２個のコネクタの間の中間において外側ジャケット１２０に固定される。光ファイバをケーブルジャケットに固定することにより、１本以上のファイバがコネクタハウジングの片側又は両側に向かって動くことを防止し、したがって、１個の光電子要素に引張り応力が加わる可能性を防止する助けとなる。ケーブルジャケットへの光ファイバの固定は、ケーブルの長さに沿った中間及び／又はそれ以外の位置でケーブル内に接着剤を注入し、接着剤を硬化させることによって行うことができる。
【００５２】
項目１は、電気レセプタクルコネクタに光ファイバを接続するためのプラグコネクタであって、
前記レセプタクルコネクタと嵌合するためにプリント回路基板（ＰＣＢ）の嵌合エッジに隣接して配置された複数の電気接点を有するプリント回路基板（ＰＣＢ）と、
ハウジングキャビティ内に配置されたトランシーバであって、前記ＰＣＢの表面上に配置され、前記複数の電気接点と電気的に接続された１個以上の光電子要素を有するトランシーバと、
キャビティ、
ハウジング開口部、及び
前記ハウジングキャビティ内で、前記ハウジング開口部と前記ＰＣＢとの間に配置されたプラットフォームであって、上面を有するプラットフォームを有するハウジングと、
前記ハウジング開口部から前記ハウジングキャビティに入り、前記光電子要素と光学的に結合された１本以上の光ファイバであって、前記プラットフォームの前記上面の上方で延びると共に前記ＰＣＢの上面の少なくとも一部に沿って延び、前記ＰＣＢの上面から第１の最小距離だけ分離され、前記プラットフォームの上面から前記第１の最小距離よりも小さい第２の最小距離だけ分離された、１本以上の光ファイバと、を有する、プラグコネクタである。
【００５３】
項目２は、前記光ファイバがほぼ平坦な形態で配置される場合、前記第２の最小距離が前記第１の最小距離よりも小さい、項目１のプラグコネクタである。
【００５４】
項目３は、前記ハウジングが、前記光ファイバの最小の運動を拘束する一方で前記ハウジングキャビティ内における前記光ファイバの一定量の運動を可能とするように構成されている、項目１のプラグコネクタである。
【００５５】
項目４は、前記１本以上の光ファイバのうちの１本の光ファイバが前記プラットフォーム及び前記ＰＣＢの前記上面に向かって広がる場合、前記１本の光ファイバが前記プラットフォームに最も近い前記ＰＣＢのエッジに接触するよりも前に、前記１本の光ファイバが前記プラットフォームの前記上面と接触する、項目１のプラグコネクタである。
【００５６】
項目５は、前記プラットフォームに最も近い前記ＰＣＢの前記エッジが、前記ＰＣＢの前記嵌合エッジの反対側である、項目４のプラグコネクタである。
【００５７】
項目６は、前記複数の光ファイバ内の前記光ファイバが、前記ハウジングキャビティ内で、前記ハウジング開口部と前記光電子要素との間で浮いている、項目１のプラグコネクタである。
【００５８】
項目７は、前記ハウジングが、前記ハウジングキャビティ内で、前記プラットフォームの前記上面の両側に配置された対向する側壁を更に有し、前記対向する側壁が、前記プラグコネクタの長さに沿って延びるとともに前記プラットフォームの前記上面から遠ざかる方向に沿って互いから離れ、前記光ファイバが、前記対向する側壁の間に画定される空間内に配置される、項目１のプラグコネクタである。
【００５９】
項目８は、前記光電子要素が、光信号を電気信号に、電気信号を光信号に変換するように適合されている、項目１のプラグコネクタである。
【００６０】
項目９は、前記複数の光ファイバ内の前記光ファイバが、マルチ横モード光ファイバである、項目１のプラグコネクタである。
【００６１】
項目１０は、
前記複数の光ファイバ内の前記光ファイバが、マルチ横モード光ファイバである、項目１のプラグコネクタと、
前記複数の光ファイバ内の前記光ファイバの少なくとも一部のものに光を放射するように構成されたマルチ横モードレーザと、を有する光電子システムである。
【００６２】
項目１１は、前記レーザが、垂直共振器面発光レーザである、項目８の光電子システムである。
【００６３】
項目１２は、電気レセプタクルコネクタに光ファイバを接続するためのプラグコネクタであって、
内部にキャビティが画定された、ハウジング開口部を有するハウジングと、
前記ハウジングキャビティ内に配置されたプリント回路基板（ＰＣＢ）と、
前記ＰＣＢ上に配置された１個以上の光電子要素と、
前記ハウジング開口部から前記ハウジングキャビティに入り、前記光電子要素と光学的に結合されたケーブルであって、
クラッドにより囲まれたコアをそれぞれが有する１本以上の光ファイバ、及び
前記１本以上の光ファイバを囲む外側ジャケットを有する、ケーブルと、を有し、
前記外側ジャケットが前記ハウジング開口部において前記ハウジングに取り付けられることにより、前記外側ジャケットが前記ケーブルの長手方向軸に沿って動くことが防止されるが、前記少なくとも１本の光ファイバが前記ケーブルの長手方向軸に沿って動くことは防止されない、プラグコネクタである。
【００６４】
項目１３は、前記ケーブルがケーブルの長手方向に沿って最大規格のケーブル荷重で引っぱられる場合、前記１本以上の光ファイバのそれぞれの光ファイバにかかる引張り応力が実質的にゼロである、項目１１のプラグコネクタである。
【００６５】
項目１４は、前記ケーブルが前記ケーブルの前記長手方向に沿って最大規格のケーブル荷重で引っぱられ、前記光ファイバにかかる張力が２ポンド（８．９Ｎ）未満である場合、前記１本以上の光ファイバの前記光ファイバにかかる引張り応力が実質的にゼロである、項目１３のプラグコネクタである。
【００６６】
項目１５は、前記少なくとも１本の光ファイバが、前記ハウジングキャビティ内で、前記ハウジング開口部と前記光電子要素との間で浮いている、項目１１のプラグコネクタである。
【００６７】
項目１６は、前記外側ジャケットが前記ハウジング開口部において前記ハウジングに取り付けられることにより、前記外側ジャケットが前記ケーブルの長手方向軸に沿って動くことは防止されるが、前記光ファイバが前記ケーブルの長手方向軸に沿って動くことは防止されない、項目１１のプラグコネクタである。
【００６８】
項目１７は、前記ケーブルが前記ケーブルの前記長手方向に沿って最大規格のケーブル荷重で引っぱられる場合、前記複数の光ファイバ内の前記光ファイバにかかる引張り応力が実質的にゼロである、項目１６のプラグコネクタである。
【００６９】
項目１８は、前記１個以上の光電子要素が前記ＰＣＢの上面に配置される、項目１１のプラグコネクタである。
【００７０】
項目１９は、レセプタクルコネクタに光ファイバを接続するためのプラグコネクタであって、
対向する上壁及び底壁と、対向する外側側壁とを有するハウジングであって、前記上壁、底壁、及び外側側壁がそれらの間にキャビティを画定する、ハウジングと、
前記ハウジングキャビティ内に配置されるプリント回路基板（ＰＣＢ）であって、
少なくとも１個の光電子要素、及び
前記レセプタクルコネクタと嵌合するための前記ＰＣＢの嵌合エッジに隣接して配置された第１の複数の電気接点であって、前記光電子要素と電気的に接続された、第１の複数の電気接点を有する、プリント回路基板（ＰＣＢ）と、
前記ハウジングキャビティ内に配置され、前記ハウジングの長さに沿ってハウジング開口部から前記光電子要素にまで延びる複数の光ファイバであって、前記光電子要素と光学的に結合された、複数の光ファイバと、
前記ハウジングキャビティ内において、前記対向する外側側壁の間でかつ前記底壁上に配置される第１の対向する内側側壁であって、前記底壁から前記上壁に向かう方向に互いから離れる、第１の対向する内側側壁と、
前記ハウジングキャビティ内において、前記対向する外側側壁の間でかつ前記上壁上に配置される第２の対向する内側側壁であって、前記上壁から前記底壁に向かう方向に互いから離れる、第２の対向する内側側壁と、を有し、前記第１の対向する内側側壁が前記第２の対向する内側側壁と重なり合い、前記第１及び第２の対向する内側側壁がそれらの間に案内空間を画定し、前記複数の光ファイバが前記案内空間内に配置される、プラグコネクタである。
【００７１】
項目２０は、前記複数の光ファイバ内の前記光ファイバが、前記ハウジングキャビティ内で、前記ハウジングの開口部と前記光電子要素との間で浮いている、項目１９のプラグコネクタである。
【００７２】
項目２１は、前記光電子要素が前記ＰＣＢの上面に配置される、項目１９のプラグコネクタである。
【００７３】
項目２２は、前記複数の光ファイバ内のファイバが前記ハウジングキャビティ内で広がる場合、前記第１及び第２の対向する側壁が、前記広がる光ファイバを前記ハウジングの前記上壁に向かって協働して案内する、項目１９のプラグコネクタである。
【００７４】
項目２３は、前記第１の対向する内側側壁が、前記ハウジングの前記底壁の内側に対してせりあがった第１の表面において終端し、前記第１の表面が前記複数の光ファイバ内の光ファイバの下方で延びると共に光ファイバと平行に延びる平面部分を有する、項目１９のプラグコネクタである。
【００７５】
項目２４は、前記第１の対向する内側側壁が、前記ハウジングの長さに沿って前記ハウジング開口部と前記ＰＣＢとの間に延びる、項目１９のプラグコネクタである。
【００７６】
項目２５は、前記第２の対向する内側側壁が、前記ハウジングの長さに沿って前記ハウジング開口部と前記光電子要素との間に延びる、項目１９のプラグコネクタである。
【００７７】
項目２６は、前記第２の対向する内側側壁が、前記ハウジングの前記上壁の内側に配置された第２の表面において終端し、前記第２の表面が前記複数の光ファイバに沿って湾曲した湾曲部分を有する、項目１９のプラグコネクタである。
【００７８】
項目２７は、前記第２の表面の前記湾曲部分の曲率半径が、前記複数の光ファイバ内の光ファイバの最小の屈曲の曲率半径よりも大きい、項目２６のプラグコネクタである。
【００７９】
本開示に述べた実施形態を、好ましい実施形態の説明を目的として本明細書に図示及び説明したが、当業者であれば、同じ目的を達成することを想定した様々な代替的及び／又は等価の実現形態によって、図示及び説明した具体的な実施形態を本発明の範囲から逸脱することなく置き換えることができる点は認識されるところであろう。機械、電気機械、及び電気の分野における当業者であれば、開示される実施形態は幅広い変形を行って実施することができる点は直ちに認識されるところであろう。本出願は、本明細書に述べた好ましい実施形態のすべての適合例又は変形例を網羅することを目的としたものである。
【図１Ａ】
2015502574.tif 000003
【図１Ｂ】
2015502574.tif 000004
【図２Ａ】
2015502574.tif 000005
【図２Ｂ】
2015502574.tif 000006
【図３】
2015502574.tif 000007
【図４】
2015502574.tif 000008
【図５Ａ】
2015502574.tif 000009
【図５Ｂ】
2015502574.tif 000010
【図５Ｃ】
2015502574.tif 000011
【図５Ｄ】
2015502574.tif 000012
【図５Ｅ】
2015502574.tif 000013
【図５Ｆ】
2015502574.tif 000014
【図６】
2015502574.tif 000015
【図７】
2015502574.tif 000016
【図８】
2015502574.tif 000017
【図９】
2015502574.tif 000018
【図１０】
2015502574.tif 000019
【図１１】
2015502574.tif 000020
【国際調査報告】
2015502574.tif 000021
2015502574.tif 000022
2015502574.tif 000023
2015502574.tif 000024
2015502574.tif 000025